【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
不均一な厚みを有する第１の可動式フィルタ（９６）と、
前記第１の可動式フィルタ（９６）から独立し、不均一な厚みを有する第２の可動式フィルタ（９８）と、
走査されることになる対象物の形状と実質的に一致するビーム・プロファイル（９２）が生成されるように前記可動式フィルタ（９６、９８）を独立して位置付けるように構成される少なくとも１つのモータ組立体（１１２、１１４）と、
を備え、
前記第１の可動式フィルタ（９６）は、基部（１００）と、尾部（１０４）と、前記基部（１００）を前記尾部（１０４）に接続する湾曲部分（１０８）とを有し、前記基部は第１の端において形成され、前記尾部は、前記第１の端と反対側に位置する第２の端まで延在し、
前記尾部は、焦点からＸ線を照射するように設計されたＸ線源に対応して、前記第１の可動式フィルタ（９６）の末端に位置付けられ、
前記基部、前記尾部及び、前記湾曲部は、前記基部によって最大の減弱が規定され、前記尾部によって最小の減弱が規定されるように、減弱プロファイルが生成されるように製造されており、
前記第２の可動式フィルタ（９８）は、基部（１０２）と、尾部（１０６）と、前記基部（１０２）を前記尾部（１０６）に接続する湾曲部分（１１０）とを有し、前記基部は第１の端において形成され、前記尾部は、前記第１の端と反対側に位置する第２の端まで延在し、
前記尾部は、焦点からＸ線を照射するように設計されたＸ線源に対応して、前記第１の可動式フィルタ（９６）の末端に位置付けられ、
前記基部、前記尾部及び、前記湾曲部は、前記基部によって最大の減弱が規定され、前記尾部によって最小の減弱が規定されるように、減弱プロファイルが生成されるように製造されており、
前記第１の可動式フィルタ（９６）及び前記第２の可動式フィルタ（９８）の少なくとも１つが、放射線画像データ収集におけるビーム（９０）を減弱するために高周波電磁エネルギビーム（９０）内に配置され、
前記第１の可動式フィルタ（９６）は前記第２の可動式フィルタ（９８）よりも前記Ｘ線源の焦点に近く位置付けられることを特徴とするビーム整形フィルタ組立体（９４）。
【請求項２】
前記第２の可動式フィルタ（９８）が、前記第１の可動式フィルタ（９６）と酷似した形状であることを特徴とする請求項１に記載のビーム整形フィルタ組立体（９４）。
【請求項３】
前記少なくとも１つのモータ組立体（１１２、１１４）が更に、ＣＴデータ収集中に可動式フィルタ（９６、９８）を動的に位置付けるように構成されることを特徴とする請求項１に記載のビーム整形フィルタ組立体（９４）。
【請求項４】
前記少なくとも１つのモータ組立体（１１２、１１４）が更に、ＣＴデータ収集前に実行されたスカウト・スキャンに基づいてＣＴデータ収集中に可動式フィルタ（９６、９８）を動的に位置付けるように構成されることを特徴とする請求項３に記載のビーム整形フィルタ組立体（９４）。
【請求項５】
前記基部（１００、１０２）の厚みが、前記尾部（１０４、１０６）の厚みよりも大きいことを特徴とする請求項１に記載のビーム整形フィルタ組立体（９４）。
【請求項６】
前記基部（１００、１０２）の厚みが３０ｍｍであり、前記尾部（１０４、１０６）の厚みが０．２５ｍｍであることを特徴とする請求項１に記載のビーム整形フィルタ組立体（９４）。
【請求項７】
前記第１の可動式フィルタ（９６）の基部（１００）のｘ方向に沿った長さが１１２ｍｍであり、前記第１の可動式フィルタ（９６）の湾曲部分（１０８）のｘ方向に沿った長さが２４．９ｍｍであり、前記第１の可動式フィルタ（９６）の尾部（１０４）のｘ方向に沿った長さが１３５ｍｍであり、前記第２の可動式フィルタ（９８）の基部（１０２）のｘ方向に沿った長さが５３ｍｍであり、前記第２の可動式フィルタ（９８）の尾部（１０６）のｘ方向に沿った長さが１６８ｍｍであり、前記第２の可動式フィルタ（９８）の湾曲部分（１１０）のｘ方向に沿った長さが３４．２ｍｍであることを特徴とする請求項１に記載のビーム整形フィルタ組立体（９４）。
【請求項８】
走査される被検体を受け入れる開口を有する回転可能なガントリと、
前記被検体に向かって高周波数電磁エネルギービームを照射するように構成された高周波数電磁エネルギー照射源と、
一対のフィルタを備えるフィルタ組立体（９４）であって、各フィルタが基部（１００、１０２）と、尾部（１０４、１０６）と、前記基部（１００、１０２）を前記尾部（１０４、１０６）に接続する湾曲部分（１０８、１１０）によって規定されており、前記一対のフィルタは、一方のフィルタが他方のフィルタよりも前記高周波数電磁エネルギー照射源により近く位置付けられるように前記高周波数電磁エネルギービーム内に位置付けられる前記フィルタ組立体（９４）と、
前記被検体を通過した高周波数電磁エネルギーを検出するように構成された複数のシンチレータ・セルを備えるシンチレータ・アレイと、
前記シンチレータ・アレイと結合し、対応するシンチレータ・セルからの光出力を検出するように構成された複数の光ダイオードを備える光ダイオード・アレイと、
前記光ダイオード・アレイと結合し、光ダイオード出力を受けるように構成されるデータ収集システムと、
前記データ収集システムと結合し、前記データ収集システムが受けた光ダイオード出力から前記被検体の画像を再構成する画像再構成装置と、
前記高周波数電磁エネルギービーム内に前記一対のフィルタの少なくとも１つのフィルタを独立して配置することにより、前記高周波数電磁エネルギービームが前記被検体のおおよその形状に実質的に合致するビーム・プロファイルを有するように調整するように構成される制御装置と、
を含むＣＴシステム。
【請求項９】
前記被検体のスカウトスキャンを行い、前記被検体のおおよその形状を該スカウトスキャンにより決定するようにプログラムされたコンピュータを更に含む請求項８に記載のＣＴシステム。
【請求項１０】
前記少なくとも１つのフィルタは、前記制御装置に動作的に接続した少なくとも１つのモータに動作的に接続し、前記コンピュータから前記制御装置に送信された制御信号が、前記ビームが所望のプロファイルを有するように前記少なくとも１つのフィルタを位置付けることを前記少なくとも１つのモータに指示する請求項９に記載のＣＴシステム。
【手続補正２】
【補正対象書類名】明細書
【補正対象項目名】０００５
【補正方法】変更
【補正の内容】
【０００５】
更に、最適な線量効率、すなわち可能な限り低い線量で最良の画質とするために、ボウタイ・フィルタによって生成される減弱プロファイルは患者特有でなければならない。すなわち、患者前置フィルタを選択する時は、患者の体格、体型、及び相対位置を考慮することが望ましく且つ好ましい。患者の体格、体型、及び位置を考慮することにより、放射線曝露を患者特有に調整することができる。更に、フォトン計数（ＰＴ）及びエネルギ識別（ＥＤ）ＣＴシステムは今日では不可能であり、これは主としてフォトン束率のダイナミックレンジが大きく、最新のＰＴ及びＥＤ検出器の計数測度性能を超えているためであることは一般に公知である。また、患者前置フィルタを走査対象物に対して調整することにより、ＰＴ及びＥＤのＣＴシステムの継続的な開発を可能とするのに適した範囲で、フォトン束率を最小限にするようにフィルタを一致させることができる。上述のように、潜在的な被検体プールにある患者の相違は有意に大きく、患者前置フィルタを備えるＣＴシステムを各患者の可能なプロファイルに適合させることは、コストが極めて高いだけでなく単に実際的ではない。
【特許文献１】米国特許第６５０１８２８号